(57)【要約】【課題】鏡の裏側に設ける収納空間を広くでき使い勝手が良い。【解決手段】中央鏡７および二つの脇鏡４０と、中央鏡７を案内する溝５０とを備え、中央鏡７は溝５０に案内される上部案内装置１１および下部案内装置２４を有し、これらは各々中央鏡７の左右端寄りに二箇所設けられ、溝５０は中央鏡７と両脇鏡４０とが面一に並ぶときの鏡面の水平方向４８と平行に設けられる第１の直線溝５２と、第１の直線溝５２の両側に位置し平行な二つの第２の直線溝５５と、第１の直線溝５２の各端と第２の直線溝５５の一端または他端とをつなぐ第３の溝６０とを有し、第１の直線溝５２は中央鏡７の幅に略等しく形成され、第２の直線溝５５はそれぞれの第２の直線溝５５に近い方の脇鏡４０の前に形成される。【選択図】        図１
2004236749.tif 000002
【特許請求の範囲】
【請求項１】
中央に位置する中央鏡と、該中央鏡の両側に位置する二つの脇鏡と、前記中央鏡を案内する溝とを備え、前記中央鏡の鏡面と前記両脇鏡の鏡面とは面一に並ぶことが可能に形成され、前記中央鏡は前記溝に案内される上部被案内手段および下部被案内手段を有し、該上部被案内手段および下部被案内手段は各々前記中央鏡の左右端寄りに二箇所設けられ、前記溝は前記中央鏡の上方位置と下方位置に対向して設けられ、該溝は前記中央鏡と両脇鏡とが面一に並ぶときの鏡面の水平方向と平行に設けられる第１の直線溝と、該第１の直線溝の両側に位置し該第１の直線溝に平行な二つの第２の直線溝と、前記第１の直線溝の各端と前記第２の直線溝の一端または他端とをつなぐ第３の溝とを有し、前記第１の直線溝は前記中央鏡の幅に略等しく形成され、前記第２の直線溝はそれぞれの第２の直線溝に近い方の脇鏡の前に形成されてなるミラーキャビネット。
【発明の詳細な説明】
【０００１】
【発明の属する技術分野】
本発明は、ミラーキャビネットに関するものである。
【０００２】
【従来の技術】
従来のミラーキャビネットとしては、たとえば前面が鏡となった２枚の引戸が閉時において面一に収められており、それぞれの引戸は開く際に他方の引戸の背面に滑り込むものが知られている（特許文献１）。この場合、一方の引戸を開いたときに、この引戸に設けられた鏡は、他方の引戸の裏面に縦方向に連続して設けられたワイパーにより拭き清められる。
【０００３】
【特許文献１】
実開昭５７−１５２０４１号公報（第４頁、第４図〜第６図）
【０００４】
【発明が解決しようとする課題】
上記従来のミラーキャビネットは、対の２枚の引戸が閉時において面一に収められており比較的広い鏡面を持つ。しかし、それぞれの引戸は、開く際に他方の引戸の背面に滑り込むように形成されている。一方の引戸が他方の引戸の背面に滑り込むように形成されているので、ミラーキャビネットの鏡の裏側後方に収納棚を設ける場合、引戸が入り込む空間だけ収納空間を小さくする。また、対の引戸に対して一つの直線状の案内溝を設けているので、一方の引戸を移動するときは他方の引戸の停止位置に左右され、必ずしも一方の引戸を他方の引戸の停止位置に関係なく独立して移動させることができるものでないので使い勝手が良いとはいえなかった。
【０００５】
本発明は、鏡の裏側後方に設ける収納空間を広くでき使い勝手の良いことを課題とする。
【０００６】
【課題を解決するための手段】
上記課題を解決するため、本発明は、中央に位置する中央鏡と、この中央鏡の両側に位置する二つの脇鏡と、中央鏡を案内する溝とを備え、中央鏡の鏡面と両脇鏡の鏡面とは面一に並ぶことが可能に形成され、中央鏡は溝に案内される上部被案内手段および下部被案内手段を有し、上部被案内手段および下部被案内手段は各々中央鏡の左右端寄りに二箇所設けられ、溝は中央鏡の上方位置と下方位置に対向して設けられ、溝は中央鏡と両脇鏡とが面一に並ぶときの鏡面の水平方向と平行に設けられる第１の直線溝と、この第１の直線溝の両側に位置し第１の直線溝に平行な二つの第２の直線溝と、第１の直線溝の各端と第２の直線溝の一端または他端とをつなぐ第３の溝とを有し、第１の直線溝は中央鏡の幅に略等しく形成され、第２の直線溝はそれぞれの第２の直線溝に近い方の脇鏡の前に形成されてなることを特徴とする。
【０００７】
このようにすることにより、中央鏡の鏡面と両脇鏡の鏡面とが面一に並んだ状態から中央鏡を、たとえば手前左側方向に引くと、中央鏡の上部被案内手段および下部被案内手段は溝に案内され、中央鏡の右側の上部被案内手段および下部被案内手段は第１の直線溝に沿って左側方向に移動し、中央鏡の左側の上部被案内手段および下部被案内手段は第３の溝から第２の直線溝に沿って左側方向に移動する。この状態では中央鏡の左側が手前側に突き出た傾斜状態で左側方向に移動する。さらに、中央鏡７を左側に引くことによって、中央鏡は、その裏側が左側の脇鏡の右端に当接または接する直前まで移動させることができる。このようにして中央鏡が移動した距離だけ中央鏡の右側が開かれる。
【０００８】
同様に、中央鏡を、手前右側方向に引く場合についても、中央鏡の右側が手前側に突き出た傾斜状態で右側方向に移動する。そして、中央鏡の裏側が右側の脇鏡の左端に当接または接する直前まで移動させることができる。このようにして中央鏡が移動した距離だけ中央鏡の左側が開かれる。以上のように、中央鏡の右側または左側が開かれることにより、鏡の裏側後方に設ける収納空間を広くでき使い勝手が良い。
【０００９】
次に本発明を構成する各要件についてさらに詳しく説明する。本発明のミラーキャビネットは、集合住宅や個別住宅の一般用あるいは事務所、理髪店や美容院などの業務用として利用可能である。本ミラーキャビネットは、これ単独でも使用することができるが、洗面ボールを有する洗面台の後側上に載置して用い、洗面化粧台として用いることもできる。さらに、ミラーキャビネットの上にウォールキャビネットを設けても良い。
【００１０】
ミラーキャビネットに設ける鏡（またはミラー扉）は、中央鏡（または中央ミラー扉）と、その両側の脇鏡（または脇ミラー扉）とを有し、三つの鏡が面一に並ぶことが可能であり、かつ二つの脇鏡を中央鏡寄りに回転させて３面鏡としても使用できる。この場合、二つの脇鏡は中央寄りの端に回転の軸が設けられ互いに近づくように回転させることになるが、これとは反対に各脇鏡の外側端に回転の軸を設けて外側に回転させるようにすることもできる。中央鏡と脇鏡の大きさは特に限定されないが、たとえば、中央鏡の幅Ｗ１に対して、二つの脇鏡を同じ幅Ｗ２とし、幅Ｗ２を幅Ｗ１の二分の一としても良い。
【００１１】
各鏡の後方には収納棚を設けると良い。中央鏡を左側または右側に開くことにより、この収納棚を利用することができる。また、上記のように、左右の脇鏡を互いに離れる方向に回転させることにより、中央鏡の開きとともに収納棚が大きく開口する。上部被案内手段および下部被案内手段は、中央鏡の左側端寄りと右側端寄りに設けられ、中央鏡の上部に二箇所、下部に二箇所設けられる。
【００１２】
溝は、中央鏡の上方位置と下方位置に対向して設けられるが、中央鏡の下方位置に設けられる溝の第１の直線溝は中央鏡の下方位置に設けられ、その長さは中央鏡の幅Ｗ１に略等しく形成される。第２の直線溝は脇鏡の下方前に形成されるが、その長さは脇鏡の幅Ｗ２に等しくしても良いし、これより大きくまたは小さくしても良い。要するに、第２の直線溝は、中央鏡の裏側が脇鏡の中央寄り縁に当接または接する直前まで移動することができるように設けられる。第３の溝は、第１の直線溝と第２の直線溝に直交する方向または脇鏡方向に傾斜させて設けても良い。
【００１３】
また、中央鏡の上方位置に設けられる溝についても、中央鏡の下方位置に設けられる溝と同じ形状、大きさとし、第１の直線溝、第２の直線溝および第３の溝を有し、中央鏡の下方位置に設けられる溝と対向して設けられるので、その説明を省略する。
【００１４】
【発明の実施の形態】
以下、本発明に係る洗面化粧台の実施形態を図面に基づいて詳細に説明する。なお、図１〜６において、同一または同等部分には同一符号を付けて示す。
【００１５】
図１は、本発明に係るミラーキャビネットを示し、（Ａ）は横断面図、（Ｂ）は正面図で、（Ａ）は（Ｂ）のＡ−Ａ線断面図を示している。ミラーキャビネット２は、枠状の本体３と、この本体３の背面側に設けられた背面板６２と、本体の表面側に設けられた中央鏡７およびこの左右に設けられた脇鏡４０とを有する。さらに、本体３の前側で鏡の下方には中央鏡７を案内する溝５０を備える。さらに、中央鏡７の鏡面と両脇鏡４０の鏡面とは面一に並ぶように形成される。本体３の内部は、物品を収納する収納棚６４が設けられている。なお、図１において、鏡は３面鏡として利用できるが、この場合、中央鏡７の幅Ｗ１は脇鏡４０の幅Ｗ２の２倍である。すなわち、Ｗ１＝２×Ｗ２の関係がある。
【００１６】
図２は、図１に示したミラーキャビネットの中央鏡７を示し、（Ａ）は正面図、（Ｂ）は右側面図である。中央鏡７は中央鏡扉６を形成する。中央鏡扉６は、中央鏡７と、この裏側に張り合わせられた裏板９と、上部被案内装置（上部被案内手段）１１および下部被案内装置（下部被案内手段）２４とを有する。上部被案内装置１１および下部被案内装置２４は各々中央鏡７の左右端寄りに二箇所設けられる。
【００１７】
上部被案内装置１１は、上部の溝５０に案内されるが、円柱の基端に鍔の付いた頭部１８ａを有する突起体１８と、この突起体１８を上方に付勢するばね２０と、突起体１８およびばね２０を保持する保持部材１３とを有する。保持部材１３は、中空矩形断面の中空部にＵ字状に二つの片を設けた形状で、当板１６を介してねじ１６で中央鏡７と裏板９に固定される。
【００１８】
下部被案内装置２４は、下部の溝５０に案内されるが、円柱の基端に鍔の付いた頭部３３ａを有する突起体３３と、この突起体３３を下面に固定したＵ字状の保持部材２６とを有する。保持部材２６は、当板２７を介してねじ３１で中央鏡７と裏板９に固定される。保持部材２６には中央鏡扉６を開閉する取手２９が設けられる。
【００１９】
図３は、図１に示したミラーキャビネットの溝５０を示す平面図である。溝５０は、上部レール２２および下部レール３５に設けられるが、これら上部レール２２に設けられる溝５０と下部レール３５に設けられる溝５０とは同形状で対向して設けられる。図３では下部レール３５に設けられた溝５０を示している。下部レール３５は本体に設けられた下部レール固定部材５（図６）に固定される。すなわち、下部レール３５は下部レール固定部材５に設けられたレール固定溝５ａに固定される。
【００２０】
下部レールに設けられる溝５０溝は中央鏡７と両脇鏡４０とが面一に並ぶときの鏡面の水平方向と平行に設けられる第１の直線溝５２と、この第１の直線溝５２の両側に位置し第１の直線溝５２に平行な二つの第２の直線溝５５と、第１の直線溝５２の端５３と第２の直線溝５５の一端５６または他端５８とをつなぐ第３の溝６０とを有する。第１の直線溝５２の長さは中央鏡の幅Ｗ１に略等しく形成され、第２の直線溝５５はそれぞれの第２の直線溝５５に近い方の脇鏡４０の前に形成され、かつその長さは脇鏡の幅Ｗ２に略等しく形成される。
【００２１】
また、上部レール２２は、本体３に設けられた上部レール固定部材４（図６）に固定される。すなわち、上部レール２２は上部レール固定部材４に設けられたレール固定溝４ａに固定される。上部レール２２に設けられる溝５０の形状と大きさは、下部レール３５に設けられる溝５０と同じであるので、その説明を省略する。
【００２２】
図４は、本発明に係るミラーキャビネット２の作用を説明する図で、（Ａ）は中央鏡７が閉まった状態の横断面図、（Ｂ）は中央鏡７の左端を手前に引いた状態の横断面図、（Ｃ）は中央鏡７を開いた状態の横断面図である。図４（Ａ）に示すように、中央鏡７の鏡面と両脇鏡４０の鏡面とが面一に並んだ状態から中央鏡７を、たとえば手前左側方向に引くと、図４（Ｂ）に示すように、中央鏡７の上部被案内装置１１および下部被案内装置２４（図１（Ａ））は、溝５０に案内される。
【００２３】
そして、中央鏡７の右側の上部被案内装置１１および下部被案内装置２４は、第１の直線溝５２に沿って左側方向に移動し、中央鏡７の左側の上部被案内装置１１および下部被案内装置２４は第３の溝６０から第２の直線溝５５に沿って左側方向に移動する。この状態では中央鏡７の左側が手前側に突き出た傾斜状態で左側方向に移動する。そして、さらに中央鏡７を左側に引くことによって、図４（Ｃ）に示すように、中央鏡７は、その裏側が左側の脇鏡４０の右端に当接または接する直前まで移動する。このようにして中央鏡７が移動した距離だけ中央鏡７の右側が開かれる。
【００２４】
同様に、中央鏡７を、たとえば手前右側方向に引く場合についても、中央鏡７の右側が手前側に突き出た傾斜状態で右側方向に移動する。そして、中央鏡７の裏側が右側の脇鏡４０の左端に当接または接する直前まで移動する。このようにして中央鏡７が移動した距離だけ中央鏡７の左側が開かれる。
【００２５】
また、第３の溝６０の長さ（第１の直線溝５２と第２の直線溝５５の間隔）は、図４を例に説明すると、（Ｃ）に示される状態、すなわち、中央鏡７の左側の上部、下部被案内装置１１、２４が第２の直線溝５５の左端に移動した状態において、中央鏡７の裏面と左側脇鏡４０の右前端部が接触しない角度に中央鏡７が傾斜する寸法となるように設定される。中央鏡７の幅寸法、第２の直線溝５５の長さ、中央鏡７の厚さ等の変動により第３の溝６０の寸法は変動する。
【００２６】
第３の溝６０の寸法を大きくすれば、図４（Ｃ）の状態の中央鏡７の傾斜角度は大きくなり、中央鏡７の裏面と左側脇鏡４０の右前端部との間隔を大きくすることができるが、溝５０を形成するために必要な上部レール２２および下部レール３５の幅が大きくなり、ミラーキャビネット２からの突出寸法が大きくなり意匠的に各レール部分が目立ってしまい好ましくない。このため、中央鏡７の裏面と左側脇鏡４０の右前端部との間隔を最小限確保できる寸法となるように第３の溝６０の寸法を設定することが好ましい。
【００２７】
図４に示す第３の溝６０は、第１の直線溝５２および第２の直線溝５５と直角となるように形成されている。この角度は直角もしくは鈍角となるように形成することができる。このような角度にすることにより、中央鏡７の左端を手前に引いた際（図４（Ｂ）の状態）に中央鏡７の幅寸法は一定のため、中央鏡７の右端の上部、下部被案内装置１１、２４は第１の直線溝５２内を左側方向に移動することとなり、その後中央鏡７の左端を左側方向に移動させる際にスムースに移動することが可能となる。前記角度が鈍角の場合の方が中央鏡７の右端の上部、下部被案内装置１１、２４が左側方向に移動し易く好ましい。
【００２８】
仮に第１の直線溝５２の右端と第３の溝６０との間に形成される角部分に中央鏡７の右端の上部、下部被案内装置１１、２４が位置する状態で、傾斜した中央鏡７を左方向に移動させようとすると、右端の上部、下部被案内装置１１、２４は第３の溝６０内を前方に移動する力が働き、左方向への移動を妨げる状況が発生しやすく好ましくない。
【００２９】
以上説明したように、ミラーキャビネット２は、幅の広い大型の中央鏡７を破損のおそれが少なく安全に開くことができ、かつ中央鏡７の裏側後方の収納空間を広く使うことができ使い勝手が良い。
【００３０】
図５は、図１〜４に示したミラーキャビネット２を使用した洗面化粧台１の正面図である。図６は、図５の右側面図である。最近の傾向として生活様式の多様化とともに洗面化粧台は大型化する傾向にあり、これにともないミラーキャビネットも大型化している。ミラーキャビネットの大型化は、必然的に鏡またはミラー扉の幅も大きくなる。図５に示す洗面化粧台１は、一般住宅に使用されるもので、洗面ボール６８が設けられた大型の洗面台６６と、この洗面台６６の後方上に配置される大型のミラーキャビネット２とを備える。さらに、洗面化粧台１は、ミラーキャビネット２の上に配置されたウォールキャビネット７９を備える。
【００３１】
洗面台６６は、略箱形形状で、上面に二つの並列した洗面ボール６８と、正面手前側に引くことが可能な引出し７３と、正面板７５とを有する。洗面ボール６８にはシャワー兼用蛇口６９、これを開閉する開閉栓７０および洗面ボール６８の底に設けられた排水管７１が設けられる。中央、左および右の引出し７３には取手７４が設けられる。また、正面板７５にはコンセント７６とスイッチ７７が設けられる。
【００３２】
ウォールキャビネット７９は、各種物品を収納するもので、箱形で内部には固定棚８１が設けられる。ウォールキャビネット７９の正面には２対の扉８２、８３を有し、背面には背面板８４を有する。また、各扉には取手８５が設けられる。
【００３３】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００３４】
【発明の効果】
本発明によれば、鏡の裏側後方に設ける収納空間を広くでき使い勝手を良くすることができる。
【図面の簡単な説明】
【図１】本発明に係るミラーキャビネットを示し、（Ａ）は横断面図、（Ｂ）は正面図である。
【図２】図１に示したミラーキャビネットの中央鏡を示し、（Ａ）は正面図、（Ｂ）は右側面図である。
【図３】図１に示したミラーキャビネットの溝を示す平面図である。
【図４】本発明に係るミラーキャビネットの作用を説明する図で、（Ａ）は中央鏡が閉まった状態の横断面図、（Ｂ）は中央鏡の左端を手前に引いた状態の横断面図、（Ｃ）は中央鏡を開いた状態の横断面図である。
【図５】図１〜４に示したミラーキャビネットを使用した洗面化粧台の正面図である。
【図６】図５の右側面図である。
【符号の説明】
１  洗面化粧台
２  ミラーキャビネット
７  中央鏡
８  鏡面
１１  上部被案内装置（上部被案内手段）
２４  下部被案内装置（下部被案内手段）
４０  脇鏡
４１  鏡面
４８  水平方向
５０  溝
５２  第１の直線溝
５３  端
５５  第２の直線溝
５６  一端
５８  他端
６０  第３の溝
【図１】
2004236749.tif 000003
【図２】
2004236749.tif 000004
【図３】
2004236749.tif 000005
【図４】
2004236749.tif 000006
【図５】
2004236749.tif 000007
【図６】
2004236749.tif 000008